(57)【特許請求の範囲】
【請求項１】
継電器(B)に装着して使用する特性試験用補助装置であって、
継電器(B)の側面に正面側から嵌着することができる本体(10)を有する装着具(1)と、
該装着具(1)を継電器(B)に嵌着したときに継電器(B)の試験端子群(4)にそれぞれ対応して接触する接触端子群(2)と、
該接触端子群(2)と接続され、接触端子群(2)とそれぞれ対をなす接続端子群を有する接続コネクタ(3)と、を備えており、
上記接触端子群(2)は、基台(20)に所要間隔で複数設けられている接触端子(23)で構成され、接触端子(23)は進退移動可能で継電器(B)の試験端子(40)に圧接する方向へ付勢されており、
上記接触端子(23)は先端部に接触子(24)を有し、接触子(24)には先端部に複数の山形状の突起(25)が設けられ、試験端子(40)との間で多点接触構造となっており、
上記本体(10)の正面板(11)は、
装着したときに継電器(B)の操作ツマミやスイッチなどの直接操作を可能にし、継電器(B)の表示の視認が可能な開口部(13,15)または窓部(17)と、
上記基台(20)が取替可能に取り付けられている開口部(14)を備えていることを特徴とする、
継電器の特性試験用補助装置。
【発明の詳細な説明】
【０００１】
【産業上の利用分野】
本発明は、継電器の特性試験用補助装置に関する。更に詳しくは、例えば配電線に発生した地絡事故を検出して高圧負荷開閉器を自動開放させる地絡継電器などの各種継電器の特性試験を行う場合に、継電器と試験器との間の誤配線をなくし、短時間で安全かつ正確に特性試験を行うことができるようにしたものに関する。
【０００２】
【従来の技術】
例えば、地絡継電器は、配電線路に地絡事故が発生した場合、零相電流を配電線上に設けられた零相変流器によって検出し、この検出信号に基づいて高圧負荷開閉器に設けたトリップコイルを作動させ、開閉器を自動開放して地絡事故区間を健全線路から速やかに切り離すものである。
地絡継電器では、試験器を用いて、地絡事故が発生したときに開閉器を所定時間内に開放できるかどうかなどを調べる特性試験の定期的な実施が義務付けられている。
【０００３】
以前は、このような特性試験においては、地絡継電器に設けられた端子群と試験器側の端子群とを作業者が一つずつ接続しなければならなかったため、作業に時間がかかるだけでなく、誤配線をしてしまう危険があった。
誤配線をすると正確なデータが得られないばかりでなく、制御回路の短絡などを起こして開閉器が開放されてしまい、例えば会社や病院などのコンピュータや各種機器がいきなり停止してしまうなどの重大な事故を引き起こす危険があった。
【０００４】
このような問題に対処するために、例えば特願平６−２４５６２６号に記載された地絡継電器が提案されている。この地絡継電器は、制御回路の途中に接続コネクタを設け、この接続コネクタに対し、連結により各端子のうちトリップ回路を構成する端子間の開路部を短絡する第一制御用コネクタと、連結により開路部を開路すると共に他の端子を介して零相変流器を通過する試験線に対し試験器の試験回路を接続する第二制御用コネクタとを適宜置換して接続可能としたものである。
【０００５】
この地絡継電器によれば、予め配線されている接続コネクタで接続することにより誤配線をなくすことができるので、地絡継電器の特性試験を作業者の熟練度に関係なく容易に行うことができ、誤配線による特性試験に伴う停電などの重大な事故を回避することができる。
【０００６】
【発明が解決しようとする課題】
しかし、上記した従来の地絡継電器には、次のような課題があった。
すなわち、この継電器では、特性試験を行う継電器のすべてに接続コネクタを設けておかなければならない。接続コネクタは、特性試験を行わない通常時には、継電器のケース内部に収容しておく必要があるが、接続コネクタには１０本前後の接続線がつながれており、これら接続線が嵩張るために、ケース内で無理なく収めることが難しかった。
しかも、この接続コネクタを継電器の端子群に接続する作業は、実際上は継電器を購入した購入者側が行う必要があった。このため、購入者側に多大な負担をかけるだけでなく、ここでも誤配線をしてしまう危険があった。
また、試験時には、通常回路を閉路させている第一制御用コネクタを取り外し、試験回路用の第二制御用コネクタを接続しなければならないため、試験後においては元のように第一制御コネクタを接続しなければならず、接続を忘れると、制御回路が開放されたままであるため、継電器が動作しないことがあった。
【０００７】
（本発明の目的）
本発明の目的は、従来のように継電器側に接続コネクタを設けるための予備的作業及び加工を必要とせず、購入者側に作業及び加工をするための負担をかけることなく、特性試験を短時間で安全にかつ簡単に行うことができる継電器の特性試験用補助装置を提供することである。
【０００８】
【課題を解決するための手段】
上記目的を達成するために講じた本発明の手段は次の通りである。
第１の発明にあっては、
継電器に装着して使用する特性試験用補助装置であって、
継電器の側面に正面側から嵌着することができる本体を有する装着具と、
該装着具を継電器に嵌着したときに継電器の試験端子群にそれぞれ対応して接触する接触端子群と、
該接触端子群と接続され、接触端子群とそれぞれ対をなす接続端子群を有する接続コネクタと、を備えており、
上記接触端子群は、基台に所要間隔で複数設けられている接触端子で構成され、接触端子は進退移動可能で継電器の試験端子に圧接する方向へ付勢されており、
上記接触端子は先端部に接触子を有し、接触子には先端部に複数の山形状の突起が設けられ、試験端子との間で多点接触構造となっており、
上記本体の正面板は、
装着したときに継電器の操作ツマミやスイッチなどの直接操作を可能にし、継電器の表示の視認が可能な開口部または窓部と、
上記基台が取替可能に取り付けられている開口部を備えていることを特徴とする、
継電器の特性試験用補助装置である。
【０００９】
（作用）
本発明に係る継電器の特性試験用補助装置は、次のように作用する。
接触端子に接続線（試験用ケーブル）で接続された接続コネクタを特性試験器の試験出力コネクタに接続しておく。
装着具を継電器の側面に正面側から嵌め入れて装着するなどして設置または装置し、継電器に対し所定の位置に固定または本質的に固定する。
装着具を継電器に装着することによって、装着具に設けられている接触端子群が継電器の試験端子群にそれぞれ対応して直接接触などにより接触する。
特性試験器の操作を、特性試験の種類によって特定された所定の手順に従って行い、各特性試験を行う。
【００１０】
このように、継電器の試験端子群と特性試験器の端子（試験出力コネクタ）間の結線は、装着具を継電器に装着するだけで正確に行われ、また接触端子群と特性試験器の端子（試験出力コネクタ）はあらかじめ配線されている接続コネクタを使用して行われるので、誤配線がない。従って、継電器の特性試験を短時間で安全かつ正確に行うことができる。
また、継電器側に従来のような接続コネクタを設けるための予備的作業及び加工を必要とせず、購入者側に作業及び加工をするための負担をかけることもない。
【００１１】
装着具に継電器の操作盤に設けられている操作部を操作するための窓部が設けられているものは、窓部を通して操作部を直接操作することができるので、操作が簡単かつ確実にできる。また、継電器の表示も明確に視認できる。
【００１２】
接触端子は、進退移動可能であり、継電器に固定されたときに試験端子に圧接する方向へ付勢されているものは、特性試験中、接触端子の接触部は、試験端子に常に接触（圧接）するので、例えば特性試験中に何らかの原因で衝撃が加わったようなときも両端子が離れることはなく、安全かつ正確に特性試験を行うことができる。
また、例えば接触端子の先端部に複数の山形状の突起を設ければ、両端子間は多点接触となるので、接触抵抗も小さくなり、試験電流の通電を確実に行うことができる。
【００１３】
【発明の実施の形態】
本発明を図面に示した実施の形態に基づき更に詳細に説明する。
図１は本発明に係る継電器の特性試験用補助装置の実施の形態を示す斜視図、
図２は接触端子の構造を示す断面説明図である。
【００１４】
符号Ａは継電器の特性試験用補助装置で、装着具１と、接触端子群２と、接続コネクタ３を備えている。
装着具１は、金属製の本体１０を備えている。本体１０は、四角形の正面板１１の周縁部に全周にわたり側面板１２を設けた構造である。本体１０は、継電器Ｂに装着したときに、側面板１２が継電器Ｂの側面にほぼ隙間なく嵌め入れることができるサイズに設定されている。
【００１５】
本体１０の正面板１１には、三箇所に四角形の開口部１３、１４、１５が設けられている（符号１４は図２、図４に図示）。開口部１３は、正面板１１上部側に、正面板１１の約１／２の大きさで開口している。開口部１３の下側には、横長の開口部１４が開口している。また、開口部１４の横には、縦長の開口部１５が開口している。
【００１６】
開口部１３には、正面板１１の裏面側から、アクリル板などの透明なプラスチック製の窓板１６が接着されている。窓板１６には、所要の形状を有し、継電器Ｂに装着したときに操作ツマミやスイッチなどの直接操作を可能にする窓部１７が設けられている。また、窓板１６を通して動作表示器や電源表示灯などが視認できるものである。なお、上記開口部１５も同様に操作ツマミやスイッチなどの直接操作を可能にする窓部を構成する。
【００１７】
開口部１４には、接触端子群２が取り付けられている。接触端子群２は、開口部１４の外面側にネジとナットで取り付けられる基台２０に横方向へ所要間隔で複数設けられている接触端子２３で構成されている。
接触端子２３は、先端部に接触部である接触子２４を有している。接触子２４の先端部に複数の山形状の突起２５が設けられており、多点接触構造となっている。また、接触端子２３の基端部には、やや径大に形成された係合部２６が設けられている。
【００１８】
また、基台２０には固定端子管２１がネジ込まれて取り付けられている。固定端子管２１の先端部にはガイド管２２が取り付けられている。接触端子２３は、ガイド管２２に進退可能に収容されている。固定端子管２１の内部には、バネ２７が収容されており、接触端子２１をガイド管２２から突出する方向（試験端子４側へ圧接する方向）へ付勢している。
接触端子２３は、常態においては、バネ２７で付勢されることにより、係合部２６をガイド管２２の基端部に当接させて停止しており、接触子２４側から外力が加わるとガイド管２２及び固定端子管２１内に収容される方向へ移動する。
【００１９】
各接触端子２３は、本体１０を継電器Ｂに装着したときに、継電器Ｂに設けられている試験端子群４の各試験端子４０にそれぞれ対応して接触できる位置に設けられている。
各接触端子２３は、アクリル板などの絶縁材の基台２０に設けているため、各接触端子２３間は電気的に絶縁されている。また、この接触端子２３及び基台２０は、破損時を考慮し、容易に取替可能な構造である。
【００２０】
各接触端子２３が設けられている固定端子管２１の基部には、試験用ケーブル３０の各接続線３１の基端部が、それぞれ所定の接触端子２３に対応させて接続されている。
試験用ケーブル３０の基部側は、本体１０下部の三箇所に設けられたホルダー１８によって、装着具１に固定されている。試験用ケーブル３０の先端部には、接続コネクタ３が接続されている。試験用ケーブル３０の接続線３１の先端部は、接続コネクタ３の所定の接続端子（図示省略）に対応させて接続されている。
なお、接続コネクタ３は、特性試験器Ｃの試験出力コネクタ５に接続可能な仕様となっている。
【００２１】
（作用）
図３は継電器の特性試験を行うときの接続状態を示す説明図、
図４は装着具を継電器に装着して接触端子が試験端子に接触している状態を示す断面説明図、
図５は継電器の特性試験を行うときの結線状態を示す説明図である。
図１ないし図５を参照して、本実施の形態に係る継電器の特性試験用補助装置Ａの作用を説明する。
【００２２】
（１）継電器の特性試験用補助装置Ａの接続コネクタ３を特性試験器Ｃの試験出力コネクタ５に接続する。
（２）高圧負荷開閉器Ｄ付近に設けられている継電器Ｂ（制御装置）の蓋を取り外す。
【００２３】
（３）継電器の特性試験用補助装置Ａの装着具１を継電器Ｂの側面に正面側から嵌め入れて装着し、継電器Ｂに対し正面の所定の位置に固定する。装着具１を継電器Ｂに装着することによって、装着具１に設けられている接触端子群２が継電器Ｂの、通常、制御線がビス締めされている試験端子群４のビスの頭にそれぞれ対応して接触する。接触端子群２の各接触端子２３は、進退伸縮可能で試験端子４０に圧接する方向へ付勢されているので、例えば特性試験中に何らかの原因で衝撃が加わったようなときも各試験端子４０と各接触端子２３が離れることはなく、安全かつ正確に特性試験を行うことができる。
また、試験端子４０に締め付けられている制御線の締め具合により、ビスの頭の高さにバラツキがある場合であっても、バネ２７の付勢力によって圧接され、確実に接触する。更に、接触端子２３の先端部は複数の山形状の突起２５による多点接触であるため、接触抵抗が小さく、試験電流の通電を確実に行うことができる構造である。
【００２４】
（４）特性試験器Ｃの操作を、特性試験の種類によって特定された所定の手順に従って行い、各特性試験を行う。装着具１には、継電器Ｂの操作盤に設けられている操作ツマミやスイッチを操作するための窓部１７や開口部１５が設けられているので、窓部１７や開口部１５を通して直接操作することができ、操作が簡単かつ確実にできる。
なお、窓部１７からは、動作電流整定スイッチＳ１、動作時間整定スイッチＳ２、試験用スイッチＳ３、表示復帰ボタンＳ４が操作可能である。また、開口部１５からは、試験トリップスイッチＳ５、制御電源切替スイッチＳ６が操作可能である。更に、電源表示灯や動作表示機器などの視認が可能である。
【００２５】
このように、継電器Ｂの試験端子群４と特性試験器Ｃの試験出力コネクタ５間の結線は、試験端子群４と装着具１の接触端子群２は装着具１を継電器Ｂの操作面に装着するだけで正確に行われ、また接触端子群２と特性試験器Ｃの試験出力コネクタ５は、あらかじめ配線されている接続コネクタ３を使用して行われるので、誤配線がない。また、例えば制御線が締め付けられている試験端子群４のビスを緩めるなどの手間のかかる作業を必要としない。
【００２６】
従って、継電器Ｂの特性試験を短時間で安全かつ正確に行うことができる。
また、継電器Ｂ側に従来のような接続コネクタを設けるための予備的作業及び加工を必要とせず、購入者側に作業及び加工をするための負担をかけることもない。
そして、試験終了後は、装着具１を取り外し、継電器Ｂの蓋をするだけで、通常の継電器動作を稼働することが可能である。
【００２７】
本明細書で使用している用語と表現は、あくまでも説明上のものであって、限定するものではなく、本明細書に記述された特徴と等価の用語や表現を除外する意図はない。また、本発明の技術思想の範囲内で、種々の変形が可能であることはいうまでもない。
【００２８】
【発明の効果】
本発明は上記構成を備え、次のような効果を有している。
（ａ）継電器の試験端子群と特性試験器の端子（試験出力コネクタ）間の結線は、装着具を継電器に装着するだけで試験端子群と装着具の接触端子群の接続が正確に行われ、また接触端子群と特性試験器の端子（試験出力コネクタ）はあらかじめ配線されている接続コネクタを使用して行われるので、誤配線がない。従って、継電器の特性試験を短時間で安全かつ正確に行うことができる。
また、継電器側に従来のような接続コネクタを設けるための予備的作業及び加工を必要とせず、購入者側に作業及び加工をするための負担をかけることもない。
【００２９】
（ｂ）装着具に継電器の操作盤に設けられている操作部を操作するための窓部が設けられているものは、窓部を通して操作部を直接操作することができるので、操作が簡単かつ確実にできる。
【００３０】
（ｃ）接触端子は、進退移動可能であり、継電器に固定されたときに試験端子に圧接する方向へ付勢されているものは、特性試験中、接触端子の接触部が試験端子に常に接触（圧接）するので、例えば特性試験中に何らかの原因で衝撃が加わったようなときも両端子が離れることはなく、安全かつ正確に特性試験を行うことができる。
【図面の簡単な説明】
【図１】  本発明に係る継電器の特性試験用補助装置の実施の形態を示す斜視図。
【図２】  接触端子の構造を示す断面説明図。
【図３】  継電器の特性試験を行うときの接続状態を示す説明図。
【図４】  装着具を継電器に装着して接触端子が試験端子に接触している状態を示す断面説明図。
【図５】  継電器の特性試験を行うときの結線状態を示す説明図。
【符号の説明】
Ａ  継電器の特性試験用補助装置
１  装着具
１０  本体
１１  正面板
１２  側面板
１３、１４、１５  開口部
１６  窓板
１７  窓部
１８  ホルダー
２  接触端子群
２０  基台
２１  固定端子管
２２  ガイド管
２３  接触端子
２４  接触子
２５  突起
２６  係合部
２７  バネ
３  接続コネクタ
３０  試験用ケーブル
３１  接続線
Ｂ  継電器
４  試験端子群
４０  試験端子
Ｃ  特性試験器
５  試験出力コネクタ
Ｓ１  動作電流整定スイッチ
Ｓ２  動作時間整定スイッチ
Ｓ３  試験用スイッチ
Ｓ４  表示復帰ボタン
Ｓ５  試験トリップスイッチ
Ｓ６  制御電源切替スイッチ
Ｄ  高圧負荷開閉器
【図１】
0003669289.tif 000002
【図２】
0003669289.tif 000003
【図３】
0003669289.tif 000004
【図４】
0003669289.tif 000005
【図５】
0003669289.tif 000006